(57)【要約】【課題】  軸受の運転中に、ころ挿入口が摩耗する可能性を低減すること。【解決手段】  保持器５のポケット６のころ案内面７の軸方向中央部から挿入口８側の距離Ｌの位置までを平面とした。そのため、スラスト円筒ころ軸受１を縦軸に取り付けると、保持器５が重力により下方に移動し、挿入口８が下方に設けられているポケット６では、突出縁部７ａと転動面４ａが接触し、突出縁部７ａと転動面４ａとの距離Δ１は「０」となる。また、挿入口８が上方に設けられているポケット６では、挿入口８ところ案内面７との境界部８ａとの距離Δ２は保持器５の移動距離Δ１だけ短くなるが、距離Δ１は距離Δ２より小さいため、ころ４の転動面４ａが挿入口８と接触することを防止することができ、その結果、挿入口８が摩耗する可能性を低減することができる。【選択図】  図２
2006322551.tif 000002
【特許請求の範囲】
【請求項１】
互いに対向して設けられた一対の軌道輪と、前記一対の軌道輪間に転動自在に配置された複数のころと、を備えたころ軸受に用いられ、前記一対の軌道輪間に配置されて、前記ころを保持する複数のポケットが形成されたころ軸受用保持器であって、
前記ポケットの内面の前記対向方向両端部それぞれを、前記ころの転動面に沿った円弧面とし、前記ポケットの内面の前記対向方向中央部を、前記円弧面同士を繋ぐ平面としたことを特徴とするころ軸受用保持器。
【請求項２】
前記ポケットに前記ころを組み込むためのころ挿入口を、隣接する前記ポケット同士では互いに逆側となるように形成したことを特徴とする請求項１に記載のころ軸受用保持器。
【請求項３】
前記平面の前記ころ挿入口側端部から当該ころ軸受用保持器の前記対向方向中央までの距離を、前記平面の前記ころ挿入口反対側端部から当該ころ軸受用保持器の前記対向方向中央までの距離より大きくしたことを特徴とする請求項２に記載のころ軸受用保持器。
【請求項４】
前記平面の前記ころ挿入口側端部を、当該ころ軸受用保持器の前記対向方向中央より前記ころ挿入項側に位置させ、前記平面の前記ころ挿入口反対側端部を、当該ころ軸受用保持器の前記対向方向中央に位置させたことを特徴とする請求項３に記載のころ軸受用保持器。
【請求項５】
請求項１から４のいずれか１項に記載のころ軸受用保持器を備えたことを特徴とするころ軸受。
【発明の詳細な説明】
【技術分野】
【０００１】
本発明は、ころ軸受に用いられ、ころを保持する複数のポケットが形成されたころ軸受用保持器、及び当該ころ軸受用保持器を備えたころ軸受に関する。
【背景技術】
【０００２】
従来、この種のころ軸受用保持器としては、軸方向に対向した一対の軌道輪の間に、複数のころを配したスラストころ軸受に用いられるものがある（特許文献１参照）。
このような、ころ軸受用保持器にあっては、一般に、各ポケットの内面（ころ案内面）は、前記ころの転動面に沿って当該転動面より僅かに大きい円弧面となっている。
また、ころ案内面には、ころの直径より僅かに幅が小さな開口部（ころ挿入口）が形成されており、ころを圧入してポケット内に組み込むことができるようになっている。
【特許文献１】特開２００３−３３６６４５号公報、従来の技術
【発明の開示】
【発明が解決しようとする課題】
【０００３】
しかしながら、上記従来のころ軸受用保持器にあっては、スラストころ軸受の運転中に、ころの転動面がころ挿入口に接触すると、ころの回転によってころ挿入口が摩耗して広がり、その結果、ころがポケットから脱落しやすくなってしまう恐れがあった。
本発明は、上記従来の技術の未解決の課題を解決することを目的とするものであって、ころ軸受の運転中に、ころの転動面がころ挿入口と接触しないため、ころ挿入口が摩耗する可能性を低減できるころ軸受用保持器、及びころ軸受を提供することを課題とする。
【課題を解決するための手段】
【０００４】
上記課題を解決するために、本発明のころ軸受用保持器は、互いに対向して設けられた一対の軌道輪と、前記一対の軌道輪間に転動自在に配置された複数のころと、を備えたころ軸受に用いられ、前記一対の軌道輪間に配置されて、前記ころを保持する複数のポケットが形成されたころ軸受用保持器であって、前記ポケットの内面の前記対向方向両端部それぞれを、前記ころの転動面に沿った円弧面とし、前記ポケットの内面の前記対向方向中央部を、前記円弧面同士を繋ぐ平面としたことを特徴とする。なお、ころ軸受に用いられるころのタイプとしては、円筒形のものや円すい形のものが挙げられる。
【０００５】
また、前記ポケットに前記ころを組み込むためのころ挿入口を、隣接する前記ポケット同士ではに互いに逆側となるように形成してもよい。
さらに、前記平面の前記ころ挿入口側端部から当該ころ軸受用保持器の前記対向方向中央までの距離を、前記平面の前記ころ挿入口反対側端部から当該ころ軸受用保持器の前記対向方向中央までの距離より大きくしてもよい。
【０００６】
また、前記平面の前記ころ挿入口側端部を、当該ころ軸受用保持器の前記対向方向中央より前記ころ挿入項側に位置させ、前記平面の前記ころ挿入口反対側端部を、当該ころ軸受用保持器の前記対向方向中央に位置させてもよい。
一方、上記課題を解決するために、本発明のころ軸受は、請求項１から４のいずれか１項に記載の軸受用保持器を備えたことを特徴とする。
【発明の効果】
【０００７】
したがって、本発明によれば、ころの転動面ところ挿入口との間の距離をかせぐことができるため、ころ軸受の運転中に、ころの転動面がころ挿入口と接触することを防止することができ、その結果、ころ挿入口が摩耗する可能性を低減することができる。
【発明を実施するための最良の形態】
【０００８】
以下、本発明に係るころ軸受用保持器を、スラスト円筒ころ軸受に適用した実施形態を図面に基づいて説明する。
図１は、本実施形態のスラスト円筒ころ軸受を一部破断して示す平面図である。また、図２は、図１のＡ−Ａ線（スラスト円筒ころ軸受の円周方向に伸びている線）でスラスト円筒ころ軸受の一部を破断して展開し、当該Ａ−Ａ線方向から見たときの断面を示す要部拡大図である。この図１に示すように、スラスト円筒ころ軸受１は、軸方向（スラスト円筒ころ軸受１を装着する軸の中心軸方向。図１に直交する方向。図２の上下方向。）に対向して設けられた一対の軌道輪２、３と、前記一対の軌道輪２、３の間に転動自在に配された複数のころ４と、前記一対の軌道輪２、３の間に配置されて、ころ４を保持する複数のポケット６が形成された保持器５と、を備える。
【０００９】
＜保持器５の構成＞
保持器５は、円環状の平板で形成される。そして、保持器５には、その平板の円周方向にころ４と同数のポケット６がほぼ等間隔に形成されている。
ポケット６は、図２に示すように、ころ４の転動面４ａと対向する位置に（内面に）、当該ころ４を案内する一対のころ案内面７がそれぞれ形成されている。
具体的には、ころ案内面７は、軸方向の一方側の端部に、保持器５の軸方向中央に中心がある円弧面（ころ４より半径が僅かに大きい円弧面）が形成されている。また、当該一方の端部には、ポケット６からのころ４の脱落を防ぐ突出縁部７ａが形成されている。
【００１０】
また、ころ案内面７は、軸方向の他方側の端部に、保持器５の軸方向中央部より当該他方側に距離Ｌ偏った位置に中心がある円弧面（前記一方側の端部の円弧面と半径が等しい円弧面）が形成されている。また、前記他方の端部には、ころ４の直径より僅かに幅が小さな挿入口８が形成され、ころ４を圧入してポケット６内に組み込み可能となっている。
【００１１】
さらに、ころ案内面７は、軸方向中央部（ころ案内面７の軸方向中央から前記他方側の端部側に距離Ｌのところまで）が、前記一方側の端部の円弧面と前記他方側の端部の円弧面とを繋ぐ軸方向に沿った平面に形成されている。即ち、ころ案内面７は、前記一方側の端部の円弧面と前記他方側の端部の円弧面と前記軸方向中央部の平面とによって形成されている。そして、ポケット６には、一対の案内面７が、前記軸方向中央部でころ４の直径より僅かに大きい距離隔てて形成されて、その内部をころ４が軸方向に移動可能となっている。また、このような構成により、ころ案内面７は、保持器５の軸方向中央部ところ４の中央部とを一致させた場合に、軸方向において、ころ４の転動面４ａと突出縁部７ａとの距離Δ１が、挿入口８ところ案内面７との境界部８ａとの距離Δ２より小さくなる。
そして、保持器５は、隣接するポケット６毎に、挿入口８（前記他方側の端部）が互いに逆側に現れるように各ポケット６が配置されている。即ち、隣接するポケット６は、ポケット６の形状が軸方向で互いに逆向きとになるように形成されている。
【００１２】
＜スラスト円筒ころ軸受１の作用＞
次に、本実施形態のスラスト円筒ころ軸受１の作用を、具体的に説明する。
図３は、本実施形態の動作を説明するための説明図であり、図２と同様に、スラストころ円筒軸受１を、前記Ａ−Ａ線方向から見たときの断面を示す要部拡大図である。
まず、スラスト円筒ころ軸受１を縦軸に取り付けたとする。すると、図３に示すように、保持器５が重力により下方に移動し、挿入口８が下方に設けられているポケット６では、突出縁部７ａと転動面４ａが接触し、突出縁部７ａと転動面４ａとの距離Δ１は「０」となる。また、挿入口８が上方に設けられているポケット６（隣接するポケット６）では、挿入口８ところ案内面７との境界部８ａとの距離Δ２は保持器５の移動距離Δ１だけ短くなるが、距離Δ１は距離Δ２より小さいため、転動面４ａと挿入口８とは接触しない。
【００１３】
したがって、ころ４の挿入口８は摩耗する可能性が小さく、スラスト円筒ころ軸受１の長期の運転時間を経た後であっても形状が維持される。そのため、ころ４はポケット６から脱落する可能性が小さく、保持器５による案内を安定した状態に維持することができる。また、突出縁部７ａと転動面４ａは、接触角度が極めて小さいため、摩耗が起こりにくい。このように、本実施形態のスラスト円筒ころ軸受１は、安定した状態で使用できる。
なお、本発明のころ軸受用保持器、及びころ軸受は、上記実施の形態の内容に限定されるものではなく、本発明の趣旨を逸脱しない範囲で適宜変更可能である。
【００１４】
上記実施形態では、スラスト円筒ころ軸受１を縦軸に取り付ける例を示したが、これに限定されるものではない。例えば、水平方向に伸びている横軸に取り付けてもよい。
また、本発明のころ軸受用保持器をスラスト円筒ころ軸受１に適用する例を示したが、これに限られるものではない。例えば、ラジアル円筒ころ軸受に適用してもよい。
さらに、隣接するポケット６毎に、挿入口８が互いに逆側に現れるように構成した例を示したが、これに限定されるものではない。例えば、スラスト円筒ころ軸受１の設置される向きが予め分かっている場合（例えば、縦軸に取り付けられることが分かっている場合）には、挿入口８が全て同じ向き（例えば、下向き）に現れるようにしてもよい。
【図面の簡単な説明】
【００１５】
【図１】実施形態に記載したころ軸受の概略構成を示す平面図である。
【図２】図１に示した保持器を破断して示す要部断面図である。
【図３】ころ軸受の動作を説明するための説明図である。
【符号の説明】
【００１６】
１はスラスト円筒ころ軸受、２、３は軌道輪、４はころ、４ａは転動面、５は保持器、６はポケット、７はころ案内面、７ａは突出縁部、８は挿入口、８ａは境界部
【図１】
2006322551.tif 000003
【図２】
2006322551.tif 000004
【図３】
2006322551.tif 000005